(57)【要約】      （修正有）【課題】高い空間を作り、可動で自由に間隔を調整することがでる物置棚を提供する【解決手段】物置棚は、可動で物置板の間隔を変更できる設計である。２本のパイプ２１及び２個のスロット２２を垂直で壁又は壁の板に取り付ける。又、その置物板にある二つの対称するアーム３２での第一ボルトを２個のスロットに沿って、適切な位置にスライド時に、物置板の左右両側での下へ向いてカーブを呈する後端にある第二ボルト３５を２本のパイプでの穴に入れることで、その物置板を固定する。【選択図】図２
0003170081.tif 000002
【実用新案登録請求の範囲】
【請求項１】
物置棚であって、
２本のパイプ及び２個のスロットが垂直で壁又は壁の板に取り付けられ、又、パイプの正面が上から下まで、一列の均等な間隔を持つ穴が形成され、２個のスロットの開口部の左右が背中に合わせになり、開口部にアンギュラ（Angular）が形成され、それがシュートとして使われ、
一つの物置板の左右側が下へカーブを呈することで、その物置板の後端に２個の対称するアームが形成され、それぞれ上と後に向かって伸ばし、又、アームの終端の左右側に第一ボルトとナットを貫通して取り付けてあり、
一つの物置板の左右側が下へカーブを呈する所の後端に第二ボルト及びねじ穴が取り付けられ、
物置板のアームにある第一ボルトをスロットのアンギュラに取り付けることで、そのアンギュラに沿って上下へスライドすることができるし、適切な位置にスライドする時に、第二ボルトを穴に入れることで、その物置板を固定することができることを特徴とする物置棚。
【請求項２】
物置板の幅が広すぎる場合、その中にパイプ、スロット、アーム、第一ボルト、ナット、第二ボルト及びねじ穴の設計を入れることが必要であることを特徴とする請求項１に記載の物置棚。
【請求項３】
物置板は単なるフラット板だけであり、左右の両側が下へ曲がらなくても良いのであり、第二ボルト及びねじ穴を物置板の後端の下の左右にあることを特徴とする請求項１に記載の物置棚。
【請求項４】
物置棚であって、
１本のパイプ及び１個のスロットが垂直で壁又は壁の板に取り付けられ、又、パイプの正面が上から下まで、一列の均等な間隔を持つ穴が形成され、２個のスロットの開口部の左右が背中に合わせになり、開口部にアンギュラ（Angular）が形成され、それがシュートとして使われ、
一つの物置板の左右側が下へカーブを呈することで、その物置板の後端に２個の対称するアームが形成され、それぞれ上と後に向かって伸ばし、又、アームの終端の左右側に第一ボルトとナットを貫通して取り付けてあり、
一つの物置板の左右側が下へカーブを呈する所の片側に第二ボルト及びねじ穴が取り付けられ、
物置板のアームにある第一ボルトをスロットのアンギュラに取り付けることで、そのアンギュラに沿って上下へスライドすることができるし、適切な位置にスライドする時に、第二ボルトを穴に入れることで、その物置板を固定することができることを特徴とする物置棚。
【請求項５】
物置棚であって、
２個のスロットが垂直で壁又は壁の板に取り付けられ、又、パイプの正面が上から下まで、一列の均等な間隔を持つ穴が形成され、２個のスロットの開口部の左右が背中に合わせになり、開口部にアンギュラ（Angular）が形成され、それがシュートとして使われ、
一つの物置板の後端に２個の対称するアームが形成され、それぞれ上と後に向かって伸ばし、又、アームの終端の左右側に第一ボルトとナットを貫通して取り付けてあり、
物置板の後端にある２個のアームの下にそれぞれ第二ボルト及びねじ穴が取り付けられ、
物置板のアームにある第一ボルトをスロットのアンギュラに取り付けることで、そのアンギュラに沿って上下へスライドすることができるし、適切な位置にスライドする時に、第二ボルトを穴に入れることで、その物置板を固定することができることを特徴とする物置棚。
【考案の詳細な説明】
【技術分野】
【０００１】
本考案の物置棚は、可動で物置板の間隔を変更できる設計である。２本のパイプ及び２個のスロットを垂直で壁又は壁の板に取り付ける。又、その置物板にある二つの対称するアームでの第一ボルトを２個のスロットに沿って、適切な位置にスライド時に、物置板の左右両側での下へ向いてカーブを呈する後端にある第二ボルトを２本のパイプでの穴に入れることで、その物置板を固定する。
【背景技術】
【０００２】
普通の物置棚、例えば、下駄箱１、図１の通り、その置物板１１は固定であるため、物置板１１の間隔を調整できないので、普通の靴を置くしかできない。そして、ブーツを置くことがでない。
【０００３】
ブーツを置くために、ある下駄箱に特別の設計で、高さが高い空間を作るが、可動で自由に間隔を調整することができない。
【考案の概要】
【考案が解決しようとする課題】
【０００４】
本考案は、上述の問題を改善する物置棚を提供することを目的とする。
【課題を解決するための手段】
【０００５】
本考案は、２本のパイプ及び２個のスロットが垂直で壁又は壁の板に取り付けられ、又、パイプの正面が上から下まで、一列の均等な間隔を持つ穴が形成され、２個のスロットの開口部の左右が背中に合わせになり、開口部にアンギュラ（Angular）が形成され、それがシュートとして使われ、
一つの物置板の左右側が下へカーブを呈することで、その物置板の後端に２個の対称するアームが形成され、それぞれ上と後に向かって伸ばし、又、アームの終端の左右側に第一ボルトとナットを貫通して取り付けてあり、
一つの物置板の左右側が下へカーブを呈する所の後端に第二ボルト及びねじ穴が取り付けられ、
物置板のアームにある第一ボルトをスロットのアンギュラに取り付けることで、そのアンギュラに沿って上下へスライドすることができるし、適切な位置にスライドする時に、第二ボルトを穴に入れることで、その物置板を固定することができることを特徴とする物置棚を提供する。
【図面の簡単な説明】
【０００６】
【図１】図１は普通の下駄箱の説明図である。
【図２】図２は本考案の物置棚の説明図である。
【図３】図３はアンギュラ（Angular）の説明図である。
【図４】図４は物置板の説明図である。
【考案を実施するための形態】
【０００７】
図２を見てください。それは本考案の物置棚２の説明図である。２本のパイプ２１及び２個のスロット２２は、図２に示すように、壁又は壁の板に取り付けられる。又、パイプ２１の正面が上から下まで、一列の均等な間隔を持つ穴２３が形成され、２個のスロット２２の開口部の左右が背中に合わせになったので、開口部にアンギュラ（Angular）２４が形成され、それがシュートとして使われる。アンギュラ２４は図３の説明図を見てください。
【０００８】
一つの物置板３１の左右側が下へカーブを呈することで、その物置板３１の後端に２個の対称するアーム３２が形成され、それぞれ上と後に向かって伸ばす。又、アーム３２の終端の左右側に第一ボルト３３とナット３４を貫通して取り付けてある。それは図４の説明図を見てください。そのアーム３１図４の形に限らない。物置板３１をサポートできる機能があれば良いのである。
【０００９】
物置板３１の左右両側での下へ向いてカーブを呈する後端に第二ボルト３５及び２個のねじ穴３６を取り付ける。それは図２，４を見てください。右側が表示されていない。
【００１０】
物置板３１のアーム３２にある第一ボルト３３をスロット２２のアンギュラ２４に取り付けることで、そのアンギュラ２４に沿って上下へスライドすることができるし、適切な位置にスライドする時に、第二ボルト３５を穴２３に入れることで、その物置板３１を固定することができる。
【００１１】
上記のことで、多数の物置板３１をスロット２２のアンギュラ２４を通して取り付けることができる。多数の物置板の間隔を自由に調整できるので、物置板３１の上に高さが異なるものを置くことができる。
【００１２】
物置板３１の幅がより広い場合、壁又は壁板に取り付ける２本のパイプ２１及び２個のスロット２２の距離を大きくすることができる。物置板３１の幅が広すぎる場合、その中にパイプ２１、スロット２２、アーム３２、第一ボルト３３、ナット３４、第二ボルト３５及びねじ穴３６の設計を入れることが必要である。
【００１３】
１本のパイプ２１と１個のスロット２２だけでも良いのである。この時に、物置板の片側だけアーム３２、第一ボルト３３、ナット３４、第二ボルト３５及びねじ穴３６の設計があります。
【００１４】
本考案のパイプ２１、スロット２２及び物置板３１の材料は金属や、プラスチックスチールなどを使うことができる。物置板３１は木質の材料を使ってもよいのであり、パイプ２１、スロット２２を壁又は木質の壁に取り付けることができる。
【００１５】
物置板３１は単なるフラット板だけであるので、左右の両側が下へ曲がらなくても良いのである。この時に、第二ボルト３５及びねじ穴３６を物置板３１の後端の下の左右にある。
【００１６】
壁に平行で多数の物置棚２を取り付ける。各物置棚２の上に数個の物置板３１を取り付け、物置板の間隔が不均等であるし、自由に調整することができるので、各種のものを置くことができる。
【００１７】
物置棚２にはパイプ２１を使わなくて、２個のスロット２２を使うだけでも良いであるが、スロット２２の正面に上から下まで一列の均等な間隔を持つ穴２３があることで、パイプ２１の機能として使われることができる。第二ボルト３５及びねじ穴３６を物置板３１の後端の下の左右両側にあり、即ち、２個のアーム３２の内部の下にあるものである。物置板３１のアーム３２の第一ボルト３３をスロット２２のアンギュラ２４に取り付けることで、そのアンギュラ２４に沿って上下へスライドすることができるし、適切な位置にスライドする時に、第二ボルト３５を穴２３に入れることで、その物置板３１を固定することができる。
【００１８】
本考案の範囲は実用新案申請の範囲を準拠するので、上記の実施例に限られないものとする。
【符号の説明】
【００１９】
１    下駄箱
１１  物置板    
２    物置棚
２１  パイプ
２２  スロット
２３  穴
２４  アンギュラ
３１  物置板
３２  アーム
３３  第一ボルト
３４  ナット
３５  第二ボルト
３６  ねじ穴
【図１】
0003170081.tif 000003
【図２】
0003170081.tif 000004
【図３】
0003170081.tif 000005
【図４】
0003170081.tif 000006